(57)【要約】      （修正有）【課題】コリメートレンズが移動することで生じるレーザー光の光量の変動を正確に検出することで、安定して動作する光ピックアップ装置を提供する。【解決手段】光ピックアップ装置１は、レーザー装置２、３から出射されたレーザー光の一部を、反射ミラー１０を透過させてレーザー光ＦＭＤ２３にて検出している。そして、ＦＭＤ２３の出力に基づいて、レーザー装置２、３の出力を調整している。このようにすることで、コリメートレンズ９が使用状況下にて移動しても、この移動によるレーザー光の光量の変化は直ちにＦＭＤ２３により検出され、レーザー装置の出力が調整される。従って、光情報記録媒体１７に照射されるレーザー光の光量が時間軸に沿って均一化され、光ピックアップ装置１による読取動作および書込動作を安定して行える。【選択図】図１
2012113788.tif 000002
【特許請求の範囲】
【請求項１】
レーザー光を出射する出射素子と、
前記レーザー光の光路に沿って移動可能に配置されて前記レーザー光を平行光に変換するコリメートレンズと、
前記レーザー光を光情報記録媒体の情報記録層に合焦させる対物レンズと、
前記コリメートレンズと前記対物レンズとの間の光路に配置されて、前記レーザー光の一部を前記光路から分岐させる分岐素子と、
前記光路で分岐した前記レーザー光を受光して、前記出射素子から出射される前記レーザー光の光量を制御するための制御信号を出力する検出素子と、
を備えたことを特徴とする光ピックアップ装置。
【請求項２】
前記検出素子は、往路側の光路で前記分岐素子により分岐されたレーザー光を受光することを特徴とする請求項１に記載の光ピックアップ装置。
【請求項３】
前記分岐素子は反射ミラーであり、
前記反射ミラーを反射した前記レーザー光は光情報記録媒体に照射され、
前記反射ミラーを透過した前記レーザー光を前記検出素子で受光することを特徴とする請求項１または請求項２に記載の光ピックアップ装置。
【請求項４】
前記分岐素子は、前記コリメートレンズの直近に配置されることを特徴とする請求項１から請求項３の何れかに記載の光ピックアップ装置。
【請求項５】
レーザー光の偏光方向による透過率を調整し、出射素子から出射された一方向に偏光する前記レーザー光を前記対物レンズに向けて反射すると共に、前記光情報記録媒体で反射した他方向に偏光するレーザー光である戻り光を透過させる偏光分離素子と、
前記戻り光を受光して情報信号を出力する光検出器と、を更に備え、
他方向に偏光する前記戻り光の一部を前記光路に沿って分岐させることを特徴とする請求項１から請求項４の何れかに記載の光ピックアップ装置。
【請求項６】
前記レーザー光は、第１波長を有する第１レーザー光と、前記第１波長よりも長い第２波長を有する第２レーザー光とを含み、
前記検出素子は、前記分岐素子にて分岐することにより、前記光路から外れた第１レーザー光および第２レーザー光を受光することを特徴とする請求項１から請求項５の何れかに記載の光ピックアップ装置。
【請求項７】
前記第１レーザー光はＢＤ規格のレーザー光であり、
前記第２レーザー光はＤＶＤ規格またはＣＤ規格のレーザー光である、
ことを特徴とする請求項６に記載の光ピックアップ装置。
【請求項８】
前記他方向に偏光する前記戻り光を、前記分岐素子が前記光検出器側に分岐させる割合は、
前記一方向に偏光する前記戻り光を、前記分岐素子が前記光検出器側に分岐させる割合よりも小さい
ことを特徴とする請求項５から請求項７の何れかに記載の光ピックアップ装置。
【発明の詳細な説明】
【技術分野】
【０００１】
本発明は、レーザー光を用いて光情報記録媒体の再生や記録を行う光ピックアップ装置に関する。
【背景技術】
【０００２】
従来の光ピックアップ装置の一実施例として、下記特許文献１に示す構造が知られており、図３では当該公報に示される光ピックアップ装置１００を部分的に抜き出して示している。
【０００３】
光ピックアップ装置１００は、所定の波長を有するレーザー光を出射するレーザー装置１０２と、射出されたレーザー光を＋Ｘ方向に反射する反射面を備えた合成プリズム１０４と、反射された光を平行光に変換するコリメートレンズ１０３と、＋Ｘ方向に向かって進行するレーザー光を＋Ｙ方向に反射する立ち上げミラー１０５と、レーザー光をディスク１０７の情報記録面に合焦する対物レンズ１０６と、ディスク１０７で反射したレーザー光に収差を付与するアナモレンズ１０８と、レーザー光を受光して情報信号およびサーボ制御のための信号を出力するＰＤＩＣ１０９と、レーザー装置から出射されるレーザー光を受光してレーザー装置１０２の出力を制御するための信号を出力するＦＭＤ１１０とを備えている。
【０００４】
上記構成の光ピックアップ装置１００を用いて、ディスク１０７に対して情報の読出しまたは書込を行う方法は次の通りである。先ず、レーザー光１０２から所定の波長のレーザー光が射出される。例えば、ＢＤ規格、ＤＶＤ規格またはＣＤ規格のレーザー光が射出され、射出されたレーザー光は例えばＳ方向の直線偏光光である。
【０００５】
次に、レーザー光は、合成プリズム１０４により紙面上で＋Ｘ方向に反射された後に、コリメートレンズ１０３で平行光とされ、更に、立ち上げミラー１０５により＋Ｙ方向に反射された後に対物レンズ１０６によりディスク１０７の情報記録面に合焦される。
【０００６】
ディスク１０７により反射された戻り光のレーザー光は、対物レンズ１０６、立ち上げミラー１０５、コリメートレンズ１０３を経由して合成プリズム１０４に至る。また、この間にレーザー光は、図示しない１／４波長板の作用によりＳ方向の直線偏光光からＰ方向の直線偏光光に変換されている。そして、Ｐ方向の直線偏光光であるレーザー光は、合成プリズム１０４の偏光選択性の反射膜を透過して、アナモレンズ１０８で収差が付与された後に、ＰＤＩＣ１０９に照射される。ＰＤＩＣ１０９は、読み取られた情報とサーボのための信号を外部に出力する。
【０００７】
光ピックアップ装置１００が動作している間、レーザー装置１０２から出射されているレーザー光の一部は、合成プリズム１０４の反射面を透過して、ＦＭＤ１１０に照射される。ＦＭＤ１１０は、照射されるレーザー光の光量に応じた信号を出力し、この出力信号に基づいてレーザー装置１０２から出射されるレーザー光が調節される。
【先行技術文献】
【特許文献】
【０００８】
【特許文献１】特開２００８−１１７４９９号公報
【発明の概要】
【発明が解決しようとする課題】
【０００９】
しかしながら、上記した構成の光ピックアップ装置１００では、ＦＭＤ１１０の出力信号に基づいてレーザー装置１０２を精度良く制御できない問題があった。
【００１０】
具体的には、光ピックアップ装置１００の使用状況下に於いては、コリメートレンズ１０３は光路に沿って移動する。これは、球面収差を最適化することで、層間迷光や層間クロストークの発生を抑止するためである。ところが、コリメートレンズ１０３が移動すると、コリメートレンズ１０３を透過した後のレーザー光の光量が変化する。具体的には、コリメートレンズ１０３が紙面上にて左側に配置された場合と、右側に配置された場合とを比較すると、右側に配置された場合の方が、コリメートレンズ１０３を透過した後のレーザー光の光量が強くなる。
【００１１】
一方、レーザー光の光量を検出するＦＭＤ１１０は、コリメートレンズ１０３を透過する前のレーザー光を検出している。従って、コリメートレンズ１０３の移動に伴い生じるレーザー光の変動はＦＭＤ１１０では検出されない。
【００１２】
このことから、コリメートレンズ１０３の移動に伴い生じるレーザー光の光量の変化に起因して、ディスク１０７に到達するレーザー光の光量が変動し、光ピックアップ装置１００の動作が不安定に成る問題が生じていた。
【００１３】
本発明は上記した問題を鑑みてなされたものである。本発明の目的は、コリメートレンズが移動することで生じるレーザー光の光量の変動を正確に検出することで、安定して動作する光ピックアップ装置を提供することにある。
【課題を解決するための手段】
【００１４】
本発明の光ピックアップ装置は、レーザー光を出射する出射素子と、前記レーザー光の光路に沿って移動可能に配置されて前記レーザー光を平行光に変換するコリメートレンズと、前記レーザー光を光情報記録媒体の情報記録層に合焦させる対物レンズと、前記コリメートレンズと前記対物レンズとの間の光路に配置されて、前記レーザー光の一部を前記光路から分岐させる反射素子と、前記光路で分岐した前記レーザー光を受光して、前記出射素子から出射される前記レーザー光の光量を制御するための制御信号を出力する検出素子と、を備えたことを特徴とする。
【発明の効果】
【００１５】
本発明によれば、コリメートレンズを通過したレーザー光を検出素子（ＦＭＤ）で検出しているので、コリメートレンズの移動に伴うレーザー光の光量変化を正確に検出し、この結果に基づいてレーザー装置を制御することが可能となる。従って、コリメートレンズの移動に伴い、光情報記録媒体に照射されるレーザー光の光量の変化が抑制され、読取または書込の精度が向上される。
【００１６】
更に本発明によれば、分岐素子（反射ミラー）にて復路のレーザー光の一部を透過させることにより、光情報記録媒体で反射されたレーザー光の戻り光が光情報記録媒体の信号層を被覆するカバー層による複屈折により前記戻り光の偏光方向に変化が生じた場合であっても、この変化に起因して光検出器に受光される前記戻り光の光量変化が大きくなるのが抑制される。
【図面の簡単な説明】
【００１７】
【図１】本発明の実施の形態における光ピックアップ装置の光学系を説明する図である。
【図２】（Ａ）および（Ｂ）は本発明の実施の形態における光ピックアップ装置を部分的に示す図であり、（Ｃ）は合成プリズムおよび反射ミラーが備える反射膜の特性を説明する図である。
【図３】従来の光ピックアップ装置の光学系を説明する概略図である。
【発明を実施するための形態】
【００１８】
図１を参照して、光ピックアップ装置１は、ＢＤ（Ｂｌｕ−ｒａｙ  Ｄｉｓｃ）、ＤＶＤ（Ｄｉｇｉｔａｌ  Ｖｅｒｓａｔｉｌｅ  Ｄｉｓｋ）またはＣＤ（Ｃｏｍｐａｃｔ  Ｄｉｓｋ）規格のレーザー光を、光情報記録媒体１７（光ディスク）の情報記録層に集光させ、この情報記録層からの反射光を受光して電気信号に変換する機能を備えている。このことにより、光ピックアップ装置１は、光情報記録媒体１７からの情報の読出または情報の書込を行う。
【００１９】
レーザー装置２（出射素子）は、ＢＤ規格の波長（青紫色（青色）波長帯４００ｎｍ〜４２０ｎｍ（例えば４０５ｎｍ））のレーザー光を出射する。レーザー装置３は、ＤＶＤ規格の波長（赤色波長帯６４５ｎｍ〜６７５ｎｍ（例えば、６５５ｎｍ））のレーザー光及びＣＤ規格の波長（赤外波長帯７６５ｎｍ〜８０５ｎｍ（例えば、７８５ｎｍ））のレーザー光を出射する。尚、半導体レーザー装置２、３は、ＣＡＮタイプ型のパッケージでも良く、リードフレーム型のパッケージでも良い。
【００２０】
回折格子４は、レーザー装置２と合成プリズム５との間に配置され、ＢＤ規格のレーザー光が入射する。そして、回折格子４は、入射するレーザー光を０次光、＋１次回折光、−１次回折光に分離する回折格子と、入射するレーザー光を合成プリズム５の偏光面に対してＳ方向の直線偏光光に変換する１／２波長板とから構成される。同様に、回折格子６は、レーザー装置３と合成プリズム８との間に配置され、回折格子と１／２波長板とから構成される。尚、回折格子６は、入射するＤＶＤ規格及びＣＤ規格のレーザー光を合成プリズム８の偏光面に対してＳ方向の直線偏光光に変換する。
【００２１】
ダイバージェントレンズ７は、回折格子６と合成プリズム８との間に配置され、回折格子６で回折されたレーザー光の広がり角を調整する。
【００２２】
合成プリズム５（偏光分離素子）は、波長選択性および偏光選択性を有する偏光面を内蔵し、ＢＤ規格のレーザー光には偏光ビームスプリッタとして機能し、ＤＶＤ規格及びＣＤ規格のレーザー光には、全透過プリズムとして機能する。具体的には、Ｓ方向の直線偏光光であるＢＤ規格のレーザー光は、その偏光面により紙面＋Ｘ方向に反射される。一方、光情報記録媒体１７により反射されたレーザー光（戻り光）は、Ｐ方向の直線偏光光であり、この偏光面を紙面−Ｘ方向に透過する。
【００２３】
合成プリズム８は、波長選択性および偏光選択性を有する偏光面を内蔵し、ＤＶＤ規格及びＣＤ規格のレーザー光には偏光ビームスプリッタとして機能し、ＢＤ規格のレーザー光には、全透過プリズムとして機能する。具体的には、合成プリズム８は、ＤＶＤ規格及びＣＤ規格のレーザー光の反射率を調整することで、光検出器（ＰＤＩＣ）１９へと導かれる第２のレーザー光の光量を調整する。そして、Ｓ方向の直線偏光光であるＤＶＤ規格及びＣＤ規格のレーザー光の大部分は、その偏光面により紙面＋Ｘ方向に反射される。一方、光ディスクにより反射されたＤＶＤ規格及びＣＤ規格のレーザー光（戻り光）は、Ｐ方向の直線偏光光であり、一定の割合にてこの偏光面を紙面−Ｘ方向に透過する。この合成プリズム８によりＤＶＤ規格及びＣＤ規格の光量を調整する事項は図２を参照して後述する。
【００２４】
コリメートレンズ９は、ＢＤ規格、ＤＶＤ規格及びＣＤ規格のレーザー光を略平行光（無限光の他、コリメートレンズ９の光軸方向の変位により発生する弱有限光含む）に変換する。図示したように、コリメートレンズ９は、点線にて示す光路（光軸）に対して平行方向（紙面±Ｘ方向）に移動し、このコリメートレンズ９の光軸方向の移動によりコリメートレンズ９を透過したレーザー光の発散角あるいは収束角を変化させる。そして、コリメートレンズ９は、それぞれの規格のレーザー光に応じて球面収差を最適化することで、層間迷光や層間クロストークの発生を抑止する。
【００２５】
このように、使用状況下にてコリメートレンズ９が移動することにより、コリメートレンズ９を透過したレーザー光の光量が異なる。そして、このレーザー光の変動に対して何ら対処を施さなかった場合は、上記した問題が発生する。これに対して、本形態では、コリメートレンズ９を透過したレーザー光をフロントモニタダイオード（ＦＭＤ）２３（検出素子）で検出することで、レーザー光を調整している。この事項は図２を参照して後述する。
【００２６】
反射ミラー１０は、波長選択性および偏光選択性を有する。具体的には、反射ミラー１０は、往路のレーザー光を部分的に反射ミラー１０を透過させてＦＭＤ２３に照射させる。更に、反射ミラー１０は、復路のレーザー光の一部を透過（漏洩）させることにより、ＰＤＩＣ１９に到達するレーザー光の光量を調整している。
【００２７】
ＦＭＤ２３は、反射ミラー１０を透過した往路側のレーザー光を受光し、受光したレーザー光の光量を示す信号を出力する。そして、ＦＭＤ２３の出力に基づいてレーザー装置２、３が制御される。ＦＭＤ２３の具体的な作用および効果は図２を参照して後述する。
【００２８】
反射ミラー１１は、各規格の往路のレーザー光を紙面−Ｘ方向に全反射する。同様に、光情報記録媒体１７により反射された復路のレーザー光（戻り光）も、紙面−Ｙ方向に全反射する。
【００２９】
ここで、反射ミラー１０と反射ミラー１１の役割を逆としても良い。この場合は、反射ミラー１０がレーザー光を全反射する。一方、反射ミラー１１に入射された往路のレーザー光の一部が反射ミラー１１を透過して、点線で示すＦＭＤ２３に照射される。この場合は、合成プリズム８と反射ミラー１１の透過率および反射率を調整することにより、ＰＤＩＣ１９へと導かれる復路のレーザー光の光量が調整される。
【００３０】
１／４波長板１２は、入射するレーザー光に位相差を生じさせ、各規格のレーザー光を、Ｓ方向の直線偏光光から円偏光光へと変換する。一方、光情報記録媒体１７により反射されたレーザー光（戻り光）は、再び１／４波長板１２を通過すると、Ｐ方向の直線偏光光のレーザー光に変換される。
【００３１】
立ち上げミラー１３は、周波数選択性を有する反射面を備えており、ＤＶＤ規格及びＣＤ規格のレーザー光を紙面＋Ｙ方向に反射させ、ＢＤ規格のレーザー光を紙面−Ｘ方向に透過させる。一方、立ち上げミラー１４は、立ち上げミラー１３を透過したＢＤ規格のレーザー光を紙面＋Ｙ方向に反射させる。
【００３２】
対物レンズ１５は、立ち上げミラー１３により反射されたＤＶＤ規格及びＣＤ規格のレーザー光を光情報記録媒体１７の情報記録層に集光させる。同様に、対物レンズ１６は、立ち上げミラー１４により反射されたＢＤ規格のレーザー光を光情報記録媒体１７の情報記録層に集光させる。
【００３３】
アナモフィックレンズ（略してアナモレンズ）１８は、合成プリズム５とＰＤＩＣ１９との間に配置され、光情報記録媒体１７により反射された各規格のレーザー光（戻り光）が通過する。そして、アナモレンズ１８は、通過するレーザー光にフォーカスサーボ用の非点収差を付与し、各規格のレーザー光を１つのＰＤＩＣ１９にて対処可能とするセンサーレンズとして機能する。
【００３４】
ＰＤＩＣ１９は、光検出器として機能し、信号検出用のフォトダイオード集積回路素子が内蔵され、各規格のレーザー光を同一平面上の受光領域にて受光し、光電変換によって情報信号成分を含む検出信号を出力する。更に、ＰＤＩＣ１９は、フォーカスサーボおよびトラッキングサーボに用いられるサーボ信号成分を含む検出信号を出力する。
【００３５】
次に、ＤＶＤ規格及びＣＤ規格のレーザー光の光路２０を説明する。
【００３６】
先ず、レーザー装置３から出射されたレーザー光は、回折格子６にてＳ方向の直線偏光光に変換され、ダイバージェントレンズ７により所定の広がり角へと調整された後、合成プリズム８へと入射する。そして、レーザー光は、合成プリズム８の偏光面にて反射し、コリメートレンズ９にて平行光に変換された後に、反射ミラー１０にて反射する。また、コリメートレンズ９に平行光に変換されたレーザー光の一部は、反射ミラー１０を透過して、ＦＭＤ２３に照射される。そして、ＦＭＤ２３の出力に基づいてレーザー装置３の出力が制御される。
【００３７】
反射ミラー１０で反射されたレーザー光は、反射ミラー１１にて全反射され、１／４波長板１２を通過することにより、Ｓ方向の直線偏光光から円偏光光に変換される。そして、円偏光光のレーザー光は、立ち上げミラー１３にて反射した後、対物レンズ１５により光情報記録媒体１７の情報記録層に集光される。この光路が、ＤＶＤ規格及びＣＤ規格のレーザー光の往路２０Ａとなる。
【００３８】
次に、光情報記録媒体１７の情報記録層により反射されたレーザー光（戻り光）は、対物レンズ１５を透過し、立ち上げミラー１３にて反射した後、１／４波長板１２を透過することで、円偏光光からＰ方向の直線偏光光のレーザー光へと変換される。そして、このレーザー光は、反射ミラー１０、１１で反射された後に、コリメートレンズ９、合成プリズム８、５を透過する。その後、レーザー光は、アナモレンズ１８にて収差が付与され、ＰＤＩＣ１９の受光領域にて受光され、光電変換によって検出信号へと変換される。この光路が、ＤＶＤ規格及びＣＤ規格のレーザー光の復路２０Ｂとなる。
【００３９】
本形態では、反射ミラー１０および合成プリズム８の透過率および反射率を調整する事により、復路のＤＶＤ／ＣＤ規格のレーザー光がＰＤＩＣ１９に到達する光量を調整している。この事項は図２を参照して後述する。
【００４０】
次に、ＢＤ規格のレーザー光の光路２１を説明する。
【００４１】
先ず、レーザー装置２から出射されたレーザー光は、回折格子４にてＳ方向の直線偏光光に変換され、合成プリズム５へと入射する。そして、このレーザー光は、合成プリズム５の偏光面にて全反射した後、合成プリズム８を全透過する。その後、レーザー光は、コリメートレンズ９で平行光とされた後に、反射ミラー１０で大部分が反射され、残りの部分が透過する。透過したレーザー光はＦＭＤ２３で検出され、ＦＭＤ２３の出力に基づいてレーザー装置２の出力が上記と同様に調整される。
【００４２】
反射ミラー１０を反射したレーザー光は、反射ミラー１１にて全反射され、１／４波長板１２を通過することにより、Ｓ方向の直線偏光光から円偏光光に変換される。そして、円偏光光のレーザー光は、立ち上げミラー１３を透過し、立ち上げミラー１４にて反射した後、対物レンズ１６により光情報記録媒体１７の情報記録層に集光される。尚、この光路が、ＢＤ規格のレーザー光の往路２１Ａとなる。
【００４３】
次に、光情報記録媒体１７の情報記録層により反射されたレーザー光（戻り光）は、対物レンズ１６を透過し、立ち上げミラー１４にて反射し、立ち上げミラー１３、１／４波長板１２を透過することで、円偏光光からＰ方向の直線偏光光のレーザー光へと変換される。そして、レーザー光は、反射ミラー１０、１１にて反射された後に、コリメートレンズ９、合成プリズム８、５を透過する。その後、レーザー光は、アナモレンズ１８にて収差が付与され、ＰＤＩＣ１９の受光領域にて受光され、光電変換によって検出信号が出力される。この光路が、ＢＤ規格のレーザー光の復路２１Ｂとなる。
【００４４】
以上が、本形態のレーザー光の各光路の説明である。
【００４５】
本形態では、コリメートレンズ９を通過したレーザー光を往路で検出することで、光情報記録媒体１７に照射されるレーザー光の光量を適切に制御できる。
【００４６】
具体的には、本形態では、コリメートレンズ９と対物レンズ１５との間の光路に、レーザー光を分岐する素子として反射ミラー１０を配置している。反射ミラー１０は、偏光特性を備える反射膜を表面に備えている。従って、紙面上＋Ｘ方向に進行する往路のレーザー光の９０％を＋Ｙ方向に反射する一方、残りの１０％のレーザー光は反射ミラー１０を透過してＦＭＤ２３に照射される。このことにより、コリメートレンズ９により平行光とされたレーザー光を、ＦＭＤ２３により直近で検出できる。
【００４７】
ＦＭＤ２３によりレーザー光を調整する方法は次の通りである。先ず、使用状況下にて、球面収差の最適化や、層間迷光および層間クロストークの発生を抑止の為にコリメートレンズ９の位置が移動する。コリメートレンズ９の移動に伴い、コリメートレンズ９を透過した後のレーザー光の発散角あるいは収束角が変化することにより前記レーザー光の光量が変化する。具体的には、コリメートレンズ９がレーザー装置に接近すると（紙面上にて左側に移動すると）、コリメートレンズ９を透過した後のレーザー光の光量が小さくなる。一方、コリメートレンズ９がレーザー装置から離れると（紙面上にて右側に移動すると）、コリメートレンズ９を透過した後のレーザー光の光量は大きくなる。
【００４８】
本形態では、この平行光の一部が反射ミラー１０を透過してＦＭＤ２３により検出される。ＦＭＤ２３は照射されたレーザー光の光量に応じた信号を出力する。そして、ＦＭＤ２３の出力値が所定の範囲内であれば、レーザー装置２、３から出力されるレーザー光の光量は変更されない。一方、ＦＭＤ２３の出力値が所定の値以下であれば、レーザー装置２、３から放射されるレーザー光の光量を大きくする。また、ＦＭＤ２３の出力値が所定の値以上であれば、レーザー装置２、３から放射されるレーザー光の光量を小さくする。このようにすることで、ＦＭＤ２３の出力値が一定になるように各レーザー装置２、３から出力されるレーザー光の光量が制御され、使用状況下にてコリメートレンズ９が移動しても、その移動に伴い光情報記録媒体１７に照射されるレーザー光の光量が変動することが抑制される。従って、光情報記録媒体１７からの情報の読出しおよび書込を安定して行える。
【００４９】
更に本形態では、反射ミラー１０および合成プリズム８に周波数特性を持たせて、それらの反射率および透過率を調整することにより、品質が良くない光情報記録媒体１７に対処可能な利点がある。
【００５０】
具体的には、各レーザー光は往路ではＳ方向に偏光する直線偏光光（Ｐ偏光光）であり、往路ではＰ方向に偏光する直線偏光光（Ｐ偏光光）である。一般的な光ピックアップ装置では、このことを前提として設計されている。即ち、往路と復路でレーザー光の偏光方向を異ならせることで、往路では合成プリズム５、８によりレーザー光が反射され、復路では合成プリズム５、８をレーザー光が透過する。
【００５１】
しかしながら、光情報記録媒体１７の情報記録層を被覆する被覆層の品質が良くないと、前記被覆層の複屈折のため本来はＰ偏光光であるべき往路の戻り光にＳ偏光成分が含まれ、ＰＤＩＣ１９に到達する戻り光の光量低下により信号をＰＤＩＣ１９で読み取ることが困難になる。
【００５２】
本形態では、このような粗悪な光情報記録媒体１７にも対処するため、反射ミラー１０および合成プリズム８がＰ偏光光を反射・透過する割合を調整して、ＰＤＩＣ１９に到達するＰ偏光光の光量を小さくすると共に、合成プリズム８におけるＳ偏光光の透過割合を確保してＰＤＩＣ１９にＳ偏光成分が少し到達されるようにしている。このようにすることで、戻り光の全てがＰ偏光光の場合（正常な光情報記録媒体の場合）と、戻り光がＳ偏光光を含む場合（低品質の光情報記録媒体の場合）とで、ＰＤＩＣ１９に到達する戻り光の光量差を小さくして、ＰＤＩＣ１９の読み取り精度を向上させている。この場合、合成プリズム８におけるＳ偏光光の反射割合が減少する分を考慮して、反射ミラー１０により漏洩される戻り光が光量、あるいは光情報記録媒体１７に向かう往路上におけるレーザー光の光量が設定されることになる。
【００５３】
図２を参照してこの事項を詳述する。図２（Ａ）はＣＤ規格およびＤＶＤ規格のレーザー光の光路を示す図であり、図２（Ｂ）はＢＤ規格のレーザー光の光路を示す図であり、図２（Ｃ）は合成プリズム５、８および反射ミラー１０の透過率および反射率を示す表である。図２（Ｃ）の表では、Ｓ偏光光の反射率および透過率をＲｓおよびＴｓで示し、Ｐ偏光光の反射率および透過率をＲｐおよびＴｐで示している。
【００５４】
図２（Ａ）を参照して、ＣＤ／ＤＶＤ規格のレーザー光が通過する光路の往路２０Ａを説明する。先ず、Ｓ偏光光であるＣＤ／ＤＶＤ規格のレーザー光は、不図示のレーザー装置から放射された後に、合成プリズム８の反射面にて＋Ｘ方向に９０％反射された後に、コリメートレンズ９にて平行光に変換される。そして、平行光とされたレーザー光は、反射ミラー１０にて９０％が＋Ｙ方向に反射された後に情報記録媒体に照射される。一方、反射ミラー１０を透過した１０％のレーザー光は、ＦＭＤ２３で検出される。
【００５５】
次に、情報記録媒体にて反射されたＣＤ／ＤＶＤのレーザー光（戻り光）の復路２０Ｂでは、図１に示す１／４波長板１２の作用により、レーザー光はＰ偏光光となる。Ｐ偏光光のレーザー光は、反射ミラー１０にて３０％が−Ｘ方向に反射し、残りの７０％が−Ｙ方向に透過する。更に、レーザー光は、コリメートレンズ９を透過した後に、合成プリズム８の反射面を６０％透過する。その後、レーザー光は合成プリズム５の反射面を１００％透過した後に、ＰＤＩＣ１９に到達する。このように、反射ミラー１０の反射率および合成プリズム８の透過率が調整されることにより、ＰＤＩＣ１９に到達するレーザー光の光量は低減されている。
【００５６】
図２（Ｂ）を参照して、次に、ＢＤ規格のレーザー光の往路２１Ａを説明する。先ず、不図示のレーザー装置から出射されたレーザー光は合成プリズム５にて＋Ｘ方向に１００％反射される。更に、レーザー光は、合成プリズム８の反射面を１００％透過し、コリメートレンズ９で平行光とされた後に、反射ミラー１０で＋Ｙ方向に９０％反射され、不図示の対物レンズ等を経由してＢＤ規格の情報記録媒体の情報記録層に合焦される。一方、反射ミラー１０を透過した１０％のレーザー光はＦＭＤ２３に検出される。
【００５７】
次に、ＢＤ規格の戻り光の復路２１Ｂを説明する。上記したＣＤ／ＤＶＤ規格のレーザー光と同様に、ＢＤ規格の戻り光もＰ偏光光である。情報記録媒体の情報記録層にて反射されたレーザー光は、反射ミラー１０にて９０％反射された後に、コリメートレンズ９、合成プリズム８、５を透過してＰＤＩＣ１９に至る。合成プリズム５、８はＢＤ規格のＰ偏光光を１００％透過させる。また、ＢＤ規格の光情報記録媒体は、現状では粗悪品が含まれる場合が殆ど無いので、合成プリズム８の透過率を調整する対処は施されていない。
【００５８】
本形態では、合成プリズム８および反射ミラー１０のＰ偏光光の反射率・透過率を調整することにより、光情報記録媒体１７が粗悪品であっても読出および書込が可能になる利点がある。
【００５９】
特にＤＶＤ規格のレーザー光は、光情報記録媒体１７での影響を受け易く、粗悪品の光情報記録媒体１７の複屈折により、復路２０ＢではＰ偏光光のレーザー光とならず、Ｓ偏光光のレーザー光となる場合もある。このような場合、何ら対策を施さなければ、ＰＤＩＣ１９に到達するＳ偏光光のレーザー光の光量が、正常なＰ偏光光の場合と比較して極端に弱くなり、Ｓ偏光光のレーザー光をＰＤＩＣ１９で検出することが困難になる。これに対処するために、本形態では、戻り光であるＰ偏光光のレーザー光を、反射ミラー１０および合成プリズム８の反射率・透過率を調整することにより弱めている。
【００６０】
具体的に、レーザー光の戻り光がＳ偏光光となった場合、ＰＤＩＣ１９に到達するレーザー光は、反射ミラー１０の反射率（Ｒｓ：９０％）×合成プリズム８の透過率（Ｔｓ：１０％）＝９％となる。一方、レーザー光の戻り光がＰ偏光光の場合は、各光学素子を経由してＰＤＩＣ１９に到達するレーザー光の光量は、反射ミラー１０の反射率（Ｒｐ：３０％）×合成プリズムの透過率（Ｔｐ：６０％）＝１８％となる。従って、Ｓ偏光光の戻り光と、Ｐ偏光光の戻り光とがＰＤＩＣ１９に到達する程度が近似した値と成るので、両者を同一のＰＤＩＣ１９の受光領域にて良好に信号検出できる。
【００６１】
更に本発明では、ＤＶＤ規格及びＣＤ規格のレーザー光の光路２０とＢＤ規格のレーザー光の光路２１とは、大部分が共通する。従って、その光路２０、２１上に配置されるコリメートレンズ９、反射ミラー１０、１１、１／４波長板１２、ＰＤＩＣ１９、ＦＭＤ２３は、両光路２０、２１の共通部品として用いられる。その結果、光ピックアップ装置１内に配置される光学系部品の数が減少し、その取り付け作業が容易となり、光軸調整等に要する時間も低減される。
【００６２】
更に本形態では、各規格のレーザー光の光量を１つのＦＭＤ２３で検出している。このことにより、レーザー装置毎にＦＭＤを設ける場合と比較すると、光ピックアップ装置１に必要とされる部品点数が削減される。
【００６３】
上記した本形態は、例えば以下のように変更することも可能である。
【００６４】
図１を参照して、本形態では、反射ミラー１０を透過したレーザー光をＦＭＤ２３にて検出し、反射ミラー１０を反射したレーザー光を光情報記録媒体１７に照射しているが、これを変更することができる。例えば、反射ミラー１０で反射したレーザー光をＦＭＤ２３により検出し、反射ミラー１０を透過したレーザー光を光情報記録媒体１７に照射することも可能である。
【００６５】
更に、図２（Ｃ）の表を参照すると、Ｓ偏光光に対する合成プリズム８のＤＶＤ／ＣＤ周波数規格の周波数帯に於ける反射率：透過率は、９０％：１０％であるが、この値は変更可能である。例えば、この値は１００％：０％でも良い。更にまた、合成プリズム８の反射率Ｒｓの値は９０％以上１００％未満の範囲で調整可能であり、透過率は０％よりも大きく且つ１０％未満の範囲で調整可能である。
【００６６】
更にまた、図１を参照して、本形態では反射ミラー１０および合成プリズム８の反射率・透過率を調整することにより、ＰＤＩＣ１９に到達するレーザー光の光量を調整したが、どちらか一方のみの反射率および／または透過率が調整されても良い。
【符号の説明】
【００６７】
１     光ピックアップ装置
２     レーザー装置
３     レーザー装置
４     回折格子
５     合成プリズム
６     回折格子
７     ダイバージェントレンズ
８     合成プリズム
９     コリメートレンズ
１０   反射ミラー
１１   反射ミラー
１２   １／４波長板
１３   立ち上げミラー
１４   立ち上げミラー
１５   対物レンズ
１６   対物レンズ
１７   光情報記録媒体
１８   アナモレンズ
１９   ＰＤＩＣ
２０   光路
２０Ａ 往路
２０Ｂ 復路
２１   光路
２１Ａ 往路
２１Ｂ 復路
【図１】
2012113788.tif 000003
【図２】
2012113788.tif 000004
【図３】
2012113788.tif 000005